(57)【要約】【課題】画質調整の自由度を損なうことなく、安定した画像を得る。【解決手段】ＲＡＷ画像ファイル取得部２３により、ＲＡＷ画像ファイルが取得され、ＲＡＷ画像ファイルから再現補助データが取得される。画像判定部２６により、縮小画像と再現補助データとに基づいて画像判定処理が行われ、現像処理条件が決定される。画像表示部２７に現像処理後の画像が表示され、追加調整の指示がある場合には、指示入力部２８から追加調整情報が設定される。画像判定部２６により決定された現像処理条件と、追加調整情報と、が反映された現像処理条件が設定され、シーン参照生データに対して、現像処理が行われ、観賞画像参照データが生成される。拡張ＲＡＷ画像ファイル生成部３１により、現像処理を施す際に設定した現像条件調整データがＲＡＷ画像ファイルに添付され、拡張ＲＡＷ画像ファイルが生成される。【選択図】図１
2006203572.tif 000002
【特許請求の範囲】
【請求項１】
撮像装置から得られたシーン参照生データに、前記シーン参照生データから鑑賞画像を形成する際に用いる再現補助データが添付されてなるＲＡＷ画像ファイルを取得するＲＡＷ画像ファイル取得工程と、
前記ＲＡＷ画像ファイルに含まれる再現補助データ及び任意に設定可能な現像条件調整データに基づいて、前記ＲＡＷ画像ファイルに含まれるシーン参照生データに、出力媒体上での最適な鑑賞画像を形成するための現像処理を施し、鑑賞画像参照データを生成する観賞画像参照データ生成工程と、
前記現像処理を施す際に設定した現像条件調整データを前記ＲＡＷ画像ファイルに添付し、拡張ＲＡＷ画像ファイルとして記録メディアに記録する拡張ＲＡＷ画像ファイル記録工程と、
を含むことを特徴とする画像処理方法。
【請求項２】
請求項１に記載の画像処理方法において、
前記再現補助データは、前記シーン参照生データが一連の撮影画像であることを示すオーダー情報を含み、
前記現像処理は、同一のオーダー情報が添付されたシーン参照生データの画像の仕上がりを均質にするための画質均質化処理を含むことを特徴とする画像処理方法。
【請求項３】
請求項１に記載の画像処理方法において、
前記再現補助データは、撮影時のグレーバランス調整状況を示す撮影時グレーバランス情報を含み、
前記現像処理は、前記撮影時グレーバランス情報と、前記シーン参照生データを画像解析して得られた画像解析時グレーバランス情報と、に基づいたグレーバランス調整処理を含むことを特徴とする画像処理方法。
【請求項４】
請求項１に記載の画像処理方法において、
前記再現補助データは、画像の鮮鋭性調整量を示す撮影時鮮鋭性調整情報を含み、
前記現像処理は、前記撮影時鮮鋭性調整情報と、前記シーン参照生データを画像解析して得られた画像解析時鮮鋭性調整情報と、に基づいた鮮鋭性調整処理を含むことを特徴とする画像処理方法。
【請求項５】
撮像装置から得られたシーン参照生データに、前記シーン参照生データから鑑賞画像を形成する際に用いる再現補助データが添付されてなるＲＡＷ画像ファイルを取得するＲＡＷ画像ファイル取得工程、前記ＲＡＷ画像ファイルに含まれる再現補助データ及び任意に設定可能な仮の現像条件調整データに基づいて、前記ＲＡＷ画像ファイルに含まれるシーン参照生データに、出力媒体上での最適な鑑賞画像を形成するための仮の現像処理を施し、仮の鑑賞画像参照データを生成する仮の観賞画像参照データ生成工程、前記仮の現像処理を施す際に設定した仮の現像条件調整データを前記ＲＡＷ画像ファイルに添付し、拡張ＲＡＷ画像ファイルを生成する拡張ＲＡＷ画像ファイル生成工程、を含む第１の現像処理工程と、
前記拡張ＲＡＷ画像ファイルを取得する拡張ＲＡＷ画像ファイル取得工程、前記拡張ＲＡＷ画像ファイルに含まれる再現補助データ及び仮の現像条件調整データに基づいて、前記拡張ＲＡＷ画像ファイルに含まれるシーン参照生データに現像処理を施し、仮の鑑賞画像参照データを再現する仮の観賞画像参照データ再現工程、前記再現された仮の鑑賞画像参照データに基づいて正式な現像条件調整データを生成し、正式な鑑賞画像参照データを生成する正式な観賞画像参照データ生成工程、を含む第２の現像処理工程と、
を含むことを特徴とする画像処理方法。
【請求項６】
撮像装置から得られたシーン参照生データに、前記シーン参照生データから鑑賞画像を形成する際に用いる再現補助データが添付されてなるＲＡＷ画像ファイルを取得するＲＡＷ画像ファイル取得手段と、
前記ＲＡＷ画像ファイルに含まれる再現補助データ及び任意に設定可能な現像条件調整データに基づいて、前記ＲＡＷ画像ファイルに含まれるシーン参照生データに、出力媒体上での最適な鑑賞画像を形成するための現像処理を施し、鑑賞画像参照データを生成する観賞画像参照データ生成手段と、
前記現像処理を施す際に設定した現像条件調整データを前記ＲＡＷ画像ファイルに添付し、拡張ＲＡＷ画像ファイルとして記録メディアに記録する拡張ＲＡＷ画像ファイル記録手段と、
を備えたことを特徴とする画像処理システム。
【請求項７】
請求項６に記載の画像処理システムにおいて、
前記再現補助データは、前記シーン参照生データが一連の撮影画像であることを示すオーダー情報を含み、
前記現像処理は、同一のオーダー情報が添付されたシーン参照生データの画像の仕上がりを均質にするための画質均質化処理を含むことを特徴とする画像処理システム。
【請求項８】
請求項６に記載の画像処理システムにおいて、
前記再現補助データは、撮影時のグレーバランス調整状況を示す撮影時グレーバランス情報を含み、
前記現像処理は、前記撮影時グレーバランス情報と、前記シーン参照生データを画像解析して得られた画像解析時グレーバランス情報と、に基づいたグレーバランス調整処理を含むことを特徴とする画像処理システム。
【請求項９】
請求項６に記載の画像処理システムにおいて、
前記再現補助データは、画像の鮮鋭性調整量を示す撮影時鮮鋭性調整情報を含み、
前記現像処理は、前記撮影時鮮鋭性調整情報と、前記シーン参照生データを画像解析して得られた画像解析時鮮鋭性調整情報と、に基づいた鮮鋭性調整処理を含むことを特徴とする画像処理システム。
【請求項１０】
撮像装置から得られたシーン参照生データに、前記シーン参照生データから鑑賞画像を形成する際に用いる再現補助データが添付されてなるＲＡＷ画像ファイルを取得するＲＡＷ画像ファイル取得手段、前記ＲＡＷ画像ファイルに含まれる再現補助データ及び任意に設定可能な仮の現像条件調整データに基づいて、前記ＲＡＷ画像ファイルに含まれるシーン参照生データに、出力媒体上での最適な鑑賞画像を形成するための仮の現像処理を施し、仮の鑑賞画像参照データを生成する仮の観賞画像参照データ生成手段、前記仮の現像処理を施す際に設定した仮の現像条件調整データを前記ＲＡＷ画像ファイルに添付し、拡張ＲＡＷ画像ファイルを生成する拡張ＲＡＷ画像ファイル生成手段、を備えた第１の現像処理装置と、
前記拡張ＲＡＷ画像ファイルを取得する拡張ＲＡＷ画像ファイル取得手段、前記拡張ＲＡＷ画像ファイルに含まれる再現補助データ及び仮の現像条件調整データに基づいて、前記拡張ＲＡＷ画像ファイルに含まれるシーン参照生データに現像処理を施し、仮の鑑賞画像参照データを再現する仮の観賞画像参照データ再現手段、前記再現された仮の鑑賞画像参照データに基づいて正式な現像条件調整データを生成し、正式な鑑賞画像参照データを生成する正式な観賞画像参照データ生成手段、を備えた第２の現像処理装置と、
を備えたことを特徴とする画像処理システム。
【発明の詳細な説明】
【技術分野】
【０００１】
本発明は、デジタルカメラ等の撮像装置から出力されるデジタル画像データに対して、出力媒体上での最適な鑑賞画像を形成するための現像処理を施す画像処理方法及び画像処理システムに関する。
【背景技術】
【０００２】
近年、デジタルカメラ等の撮像装置で撮影されたデジタル画像データは、ＣＲＴ（Cathode Ray Tube）、液晶、プラズマ等のディスプレイモニタや携帯電話の小型液晶モニタの表示デバイスに表示されたり、デジタルプリンタ、インクジェットプリンタ、サーマルプリンタ等の出力デバイスからハードコピー画像としてプリントされたりする等、その表示・プリント方法は多種多様化してきている。
【０００３】
デジタル画像データを鑑賞用途で表示・プリントする際には、鑑賞に使用するディスプレイモニタ上、或いはハードコピー上において所望の画質が得られるように、階調調整、輝度調整、グレーバランス調整、鮮鋭性強調に代表される種々の画像処理を施すことが一般に行われている。
【０００４】
従来、これら一連の画像処理は撮像装置の内部で行われ、処理後の画像データが直接出力される場合が多かった。その場合、表示・プリントする際の追加補正が必要なことが多いが、撮像装置内部での画像処理において、撮像装置が取得した広い色域・輝度域の情報を、鑑賞画像を想定して最適化した状態の鑑賞画像参照データに圧縮して記録することにより、画像データの情報損失があるため、追加補正により鑑賞画像の画質が劣化するおそれがあった。
【０００５】
これに対して、画像データを、撮像装置が取得した広い色域・輝度域の情報を圧縮しないシーン参照生データ（ＲＡＷデータ）の状態で記録すれば、不用意な情報の損失を防止することができる。
【０００６】
シーン参照生データから鑑賞画像を形成する例として、シーン参照生データに対して好ましい平滑化処理や鮮鋭化処理を施す画像処理装置（特許文献１参照）、シーン参照生データに対して好ましい色補正処理を施す画像処理装置（特許文献２参照）が提案されている。シーン参照生データに基づいて画像調整を行うことができるので、追加補正の自由度があり、高品質の画像を得ることができる。
【０００７】
また、画像に対する追加補正を効率的に行う方法として、色補正前の画像と色を修正された修正画像とをモニタに表示し、色補正の仕様を決定する色補正方法が提案されている（特許文献３参照）。
【０００８】
また、同一の画像処理条件に基づいて同様な仕上がりのプリントを作成するために、画像処理に関する情報をプリント上に記録するプリント作成方法が提案されている（特許文献４参照）。
【特許文献１】特開２００４−９６５０６号公報
【特許文献２】特開２００４−９６５０８号公報
【特許文献３】特開平１１−９８３７４号公報
【特許文献４】特開平１１−２３１４４１号公報
【発明の開示】
【発明が解決しようとする課題】
【０００９】
しかし、上記従来技術においても、さらに次のような問題があった。特許文献１、特許文献２に記載されている画像処理装置では、自動化処理が可能となるが、複数の画像に対して補正方法に統一性がない場合、特に、顧客からのプリント注文に含まれる一連の複数の画像や、一つの行事についてまとめられた複数の画像（本発明では、これら複数の画像のまとまりをオーダーと呼び、一連のまとまりであることを示す情報をオーダー情報と呼ぶ。）について統一性のない画像品質である場合、１枚１枚のプリントは好ましい仕上がりであっても、全体としての品質安定性が損なわれるため、不快なプリント群となってしまうという問題点があった。
【００１０】
また、特許文献３に記載されている色補正方法では、補正方法が多岐にわたり、調整結果に主観が入るため、再プリント注文時に前回と同一の画像処理を施すことが困難であった。
【００１１】
また、特許文献４に記載されているプリント作成方法では、プリント上に記録可能な情報量に制限があるため、十分な情報量を得ることが困難であった。
【００１２】
本発明は上記の従来技術における問題に鑑みてなされたものであって、画質調整の自由度を損なうことなく、安定した画像を得ることができる画像処理方法及び画像処理システムを提供することを課題とする。
【課題を解決するための手段】
【００１３】
上記課題を解決するために、請求項１に記載の発明は、画像処理方法において、撮像装置から得られたシーン参照生データに、前記シーン参照生データから鑑賞画像を形成する際に用いる再現補助データが添付されてなるＲＡＷ画像ファイルを取得するＲＡＷ画像ファイル取得工程と、前記ＲＡＷ画像ファイルに含まれる再現補助データ及び任意に設定可能な現像条件調整データに基づいて、前記ＲＡＷ画像ファイルに含まれるシーン参照生データに、出力媒体上での最適な鑑賞画像を形成するための現像処理を施し、鑑賞画像参照データを生成する観賞画像参照データ生成工程と、前記現像処理を施す際に設定した現像条件調整データを前記ＲＡＷ画像ファイルに添付し、拡張ＲＡＷ画像ファイルとして記録メディアに記録する拡張ＲＡＷ画像ファイル記録工程と、を含むことを特徴とする。
【００１４】
請求項２に記載の発明は、請求項１に記載の画像処理方法において、前記再現補助データは、前記シーン参照生データが一連の撮影画像であることを示すオーダー情報を含み、前記現像処理は、同一のオーダー情報が添付されたシーン参照生データの画像の仕上がりを均質にするための画質均質化処理を含むことを特徴とする。
【００１５】
請求項３に記載の発明は、請求項１に記載の画像処理方法において、前記再現補助データは、撮影時のグレーバランス調整状況を示す撮影時グレーバランス情報を含み、前記現像処理は、前記撮影時グレーバランス情報と、前記シーン参照生データを画像解析して得られた画像解析時グレーバランス情報と、に基づいたグレーバランス調整処理を含むことを特徴とする。
【００１６】
請求項４に記載の発明は、請求項１に記載の画像処理方法において、前記再現補助データは、画像の鮮鋭性調整量を示す撮影時鮮鋭性調整情報を含み、前記現像処理は、前記撮影時鮮鋭性調整情報と、前記シーン参照生データを画像解析して得られた画像解析時鮮鋭性調整情報と、に基づいた鮮鋭性調整処理を含むことを特徴とする。
【００１７】
請求項５に記載の発明は、画像処理方法において、撮像装置から得られたシーン参照生データに、前記シーン参照生データから鑑賞画像を形成する際に用いる再現補助データが添付されてなるＲＡＷ画像ファイルを取得するＲＡＷ画像ファイル取得工程、前記ＲＡＷ画像ファイルに含まれる再現補助データ及び任意に設定可能な仮の現像条件調整データに基づいて、前記ＲＡＷ画像ファイルに含まれるシーン参照生データに、出力媒体上での最適な鑑賞画像を形成するための仮の現像処理を施し、仮の鑑賞画像参照データを生成する仮の観賞画像参照データ生成工程、前記仮の現像処理を施す際に設定した仮の現像条件調整データを前記ＲＡＷ画像ファイルに添付し、拡張ＲＡＷ画像ファイルを生成する拡張ＲＡＷ画像ファイル生成工程、を含む第１の現像処理工程と、前記拡張ＲＡＷ画像ファイルを取得する拡張ＲＡＷ画像ファイル取得工程、前記拡張ＲＡＷ画像ファイルに含まれる再現補助データ及び仮の現像条件調整データに基づいて、前記拡張ＲＡＷ画像ファイルに含まれるシーン参照生データに現像処理を施し、仮の鑑賞画像参照データを再現する仮の観賞画像参照データ再現工程、前記再現された仮の鑑賞画像参照データに基づいて正式な現像条件調整データを生成し、正式な鑑賞画像参照データを生成する正式な観賞画像参照データ生成工程、を含む第２の現像処理工程と、を含むことを特徴とする。
【００１８】
請求項６に記載の発明は、画像処理システムにおいて、撮像装置から得られたシーン参照生データに、前記シーン参照生データから鑑賞画像を形成する際に用いる再現補助データが添付されてなるＲＡＷ画像ファイルを取得するＲＡＷ画像ファイル取得手段と、前記ＲＡＷ画像ファイルに含まれる再現補助データ及び任意に設定可能な現像条件調整データに基づいて、前記ＲＡＷ画像ファイルに含まれるシーン参照生データに、出力媒体上での最適な鑑賞画像を形成するための現像処理を施し、鑑賞画像参照データを生成する観賞画像参照データ生成手段と、前記現像処理を施す際に設定した現像条件調整データを前記ＲＡＷ画像ファイルに添付し、拡張ＲＡＷ画像ファイルとして記録メディアに記録する拡張ＲＡＷ画像ファイル記録手段と、を備えたことを特徴とする。
【００１９】
請求項７に記載の発明は、請求項６に記載の画像処理システムにおいて、前記再現補助データは、前記シーン参照生データが一連の撮影画像であることを示すオーダー情報を含み、前記現像処理は、同一のオーダー情報が添付されたシーン参照生データの画像の仕上がりを均質にするための画質均質化処理を含むことを特徴とする。
【００２０】
請求項８に記載の発明は、請求項６に記載の画像処理システムにおいて、前記再現補助データは、撮影時のグレーバランス調整状況を示す撮影時グレーバランス情報を含み、前記現像処理は、前記撮影時グレーバランス情報と、前記シーン参照生データを画像解析して得られた画像解析時グレーバランス情報と、に基づいたグレーバランス調整処理を含むことを特徴とする。
【００２１】
請求項９に記載の発明は、請求項６に記載の画像処理システムにおいて、前記再現補助データは、画像の鮮鋭性調整量を示す撮影時鮮鋭性調整情報を含み、前記現像処理は、前記撮影時鮮鋭性調整情報と、前記シーン参照生データを画像解析して得られた画像解析時鮮鋭性調整情報と、に基づいた鮮鋭性調整処理を含むことを特徴とする。
【００２２】
請求項１０に記載の発明は、画像処理システムにおいて、撮像装置から得られたシーン参照生データに、前記シーン参照生データから鑑賞画像を形成する際に用いる再現補助データが添付されてなるＲＡＷ画像ファイルを取得するＲＡＷ画像ファイル取得手段、前記ＲＡＷ画像ファイルに含まれる再現補助データ及び任意に設定可能な仮の現像条件調整データに基づいて、前記ＲＡＷ画像ファイルに含まれるシーン参照生データに、出力媒体上での最適な鑑賞画像を形成するための仮の現像処理を施し、仮の鑑賞画像参照データを生成する仮の観賞画像参照データ生成手段、前記仮の現像処理を施す際に設定した仮の現像条件調整データを前記ＲＡＷ画像ファイルに添付し、拡張ＲＡＷ画像ファイルを生成する拡張ＲＡＷ画像ファイル生成手段、を備えた第１の現像処理装置と、前記拡張ＲＡＷ画像ファイルを取得する拡張ＲＡＷ画像ファイル取得手段、前記拡張ＲＡＷ画像ファイルに含まれる再現補助データ及び仮の現像条件調整データに基づいて、前記拡張ＲＡＷ画像ファイルに含まれるシーン参照生データに現像処理を施し、仮の鑑賞画像参照データを再現する仮の観賞画像参照データ再現手段、前記再現された仮の鑑賞画像参照データに基づいて正式な現像条件調整データを生成し、正式な鑑賞画像参照データを生成する正式な観賞画像参照データ生成手段、を備えた第２の現像処理装置と、を備えたことを特徴とする。
【発明の効果】
【００２３】
請求項１、６に記載の発明によれば、現像処理を施す際に設定した現像条件調整データをＲＡＷ画像ファイルに添付して記録メディアに記録するので、再プリント時に前回の現像処理条件を簡単に再現することができる。また、さらに追加調整が必要な場合にも、シーン参照生データに基づいて、自由度の大きい画質調整を行うことができる。したがって、画質調整の自由度を損なうことなく、安定した画像を得ることができる。
【００２４】
請求項２、７に記載の発明によれば、オーダー情報に基づいて、同一のオーダー情報が添付されたシーン参照生データの画像の仕上がりを均質にするための画質均質化処理を行うので、一連の撮影画像の統一性を保ちつつ、画質調整を行うことができる。
【００２５】
請求項３、８に記載の発明によれば、撮影時グレーバランス情報と、シーン参照生データを画像解析して得られた画像解析時グレーバランス情報と、に基づいてグレーバランス調整処理を行うので、撮影時の状況や撮影された画像に応じた処理を行うことができる。
【００２６】
請求項４、９に記載の発明によれば、撮影時鮮鋭性調整情報と、シーン参照生データを画像解析して得られた画像解析時鮮鋭性調整情報と、に基づいて鮮鋭性調整処理を行うので、撮影時の状況や撮影された画像に応じた処理を行うことができる。
【００２７】
請求項５、１０に記載の発明によれば、再現補助データ及び仮の現像条件調整データに基づいて現像処理を施して仮の観賞画像参照データを再現するので、正式なプリント時に、仮の現像処理条件を簡単に再現することができる。また、再現された仮の観賞画像参照データに基づいて正式な鑑賞画像参照データを生成するので、より効果的な画質調整を行うことができる。
【発明を実施するための最良の形態】
【００２８】
［第１の実施の形態］
＜画像処理システム１００の構成＞
まず、本発明の第１の実施の形態における画像処理システム１００について説明する。
図１は、画像処理システム１００のシステム構成図である。図１に示すように、画像処理システム１００は、撮像装置部１０、現像処理装置部２０を備え、撮像装置部１０と現像処理装置部２０とはネットワークＮを介して接続可能となっている。
【００２９】
撮像装置部１０は、デジタルカメラ１１及びＲＡＷ画像ファイル記録メディア１２を備える。デジタルカメラ１１は、図示しないレンズ、絞り、ＣＣＤ（Charge Coupled Device）、Ａ／Ｄ変換器等を備えて構成されている。
【００３０】
デジタルカメラ１１は、レンズによりフォーカスの調節を行い、絞りによりレンズを透過した光束の光量を調節することにより、被写体の光画像をＣＣＤの受光面上に結像する。そして、結像された被写体光を、ＣＣＤ内のセンサ毎に光の入射量に応じた量の電気的な信号（撮像信号）へ光電変換し、Ａ／Ｄ変換器により撮像信号をデジタル画像データに変換し、撮像装置の撮像装置特性に依存したシーン参照生データｄ１を生成する。
【００３１】
ここで、「撮像装置」とは、光電変換機能を有する撮像素子（イメージセンサ）を備えた装置であって、所謂デジタルカメラやスキャナがこれに含まれる。撮像素子の一例としては、ＣＣＤと、電荷転送機構と、ＲＧＢやＹＭＣの、撮像素子に感色性を与えるカラーフィルタが市松模様のモザイク状に配置されたモザイクフィルタとを組合せ、感色性を付与したＣＣＤ型撮像素子や、ＣＭＯＳ型撮像素子が挙げられる。これらの撮像素子の出力電流はＡ／Ｄ変換器によりデジタル化される。この段階での各色チャンネルの内容は、撮像素子固有の分光感度に基づいた信号強度となっている。
【００３２】
また、「シーン参照生データ」とは、被写体に忠実な情報を記録した撮像装置直接の生出力信号（ＲＡＷデータ）であり、Ａ／Ｄ変換器によりデジタル化されたデータそのものや、該データに固定パターンノイズ・暗電流ノイズ等のノイズ補正を行ったデータが含まれる。またさらに、ＲＩＭＭ  ＲＧＢ（Reference Input Medium Metric ＲＧＢ）やＥＲＩＭＭ ＲＧＢ（Extended Reference Input Medium Metric ＲＧＢ）等、撮像装置が取得した広い色域・輝度域の情報を圧縮しないでシーン参照画像データを記録するのに適した標準色空間への画像変換が含まれてもよい（ＲＩＭＭ  ＲＧＢ、ＥＲＩＭＭ ＲＧＢについては、Journal of Imaging Science and Technology 45巻 418〜426頁（2001年）参照）。そして、このシーン参照生データは、例えばモニタ表示やプリント出力による画像鑑賞時に好ましい観察結果を得るために実施される、階調変換、鮮鋭性強調、彩度強調等の各種処理、また、ｓＲＧＢ等、出力デバイスに準拠した標準色空間へのカラーマッピング処理を含まないことを特徴とする。シーン参照生データの情報量（例えば階調数）はＡ／Ｄ変換器の性能に準じ、後述する鑑賞画像参照データで必要とされる情報量（例えば階調数）と同等以上であることが好ましい。例えば鑑賞画像参照データの階調数が１チャンネルあたり８bitである場合、シーン参照生データの階調数は１２bit以上が好ましく、１４bit以上がより好ましく、また１６bit以上がさらに好ましい。
【００３３】
また、デジタルカメラ１１は、シーン参照生データｄ１に再現補助データｄ２を添付してＲＡＷ画像ファイルｆ１を生成し、生成したＲＡＷ画像ファイルｆ１をＲＡＷ画像ファイル記録メディア１２に記録する。図２に、ＲＡＷ画像ファイルｆ１のデータ構造を示す。再現補助データｄ２は、ＲＡＷ画像ファイルｆ１内に所定の形式で保存される。保存形式は特に限定されるものではなく、例えばＥｘｉｆ（Exchangeable Image File Format）や、Ａｄｏｂｅ社が提案し、一般に公開されているＤＮＧ（Digital Negative）が保持するタグ情報として記録されている。
【００３４】
ここで、「再現補助データ」とは、シーン参照生データに対して出力媒体上での最適な鑑賞画像を形成するための現像処理を施して鑑賞画像参照データを生成する際に用いるデータをいう。再現補助データは、少なくとも、撮像素子自体の分光感度に基づく各色チャンネルの信号強度を前述のＲＩＭＭ  ＲＧＢやＥＲＩＭＭ ＲＧＢ等の標準色空間にマッピングすることが可能になる情報、すなわち撮像素子固有の分光感度特性かＲＩＭＭ  ＲＧＢのような特定の標準色空間に変換する時に使用すべきマトリックス係数が記載されている必要がある。例えば、撮像装置の機種名だけが記載されている場合は、本処理を実施する画像処理装置や画像処理システムが前記機種名と前記マトリックス係数の対応表を保持している必要がある。あるいは、本処理を実施する際に充分な情報が直接記載されていなくても、該情報のインターネット上での所在個所を示すＵＲＬが記載されている場合は、本処理を行うのに十分なデータとみなすことができる。これらの再現補助データは、画像ファイル内のヘッダ部に書き込まれるタグ情報として記録されるのが好ましい。
【００３５】
また、「再現補助データ」を「シーン参照生データ」とは独立して記録メディアに保存する態様である場合には、「再現補助データ」、「シーン参照生データ」の何れか、又は両方に対し、両者を関連付けるための情報の付与、又は別途関連情報の記載されたステータス情報ファイルを添付する必要がある。
【００３６】
また、「再現補助データ」には、撮影日時、天候等の情報、撮影目的（人物、風景等）、撮像条件、シーン参照生データが一連の撮影画像であることを示すオーダー情報、撮影時のグレーバランス調整状況を示す撮影時グレーバランス情報、画像の鮮鋭性調整量を示す撮影時鮮鋭性調整情報等が含まれる。
【００３７】
また、「記録メディア」とは、撮像装置が出力する「シーン参照生データ」、「再現補助データ」等の保存に用いる記憶媒体であって、コンパクトフラッシュ（登録商標）、メモリースティック、スマートメディア、マルチメディアカード、ハードディスク、フロッピー（登録商標）ディスク、磁気記憶媒体（ＭＯ）、或いはＣＤ−Ｒ（Compact Disc Recordable）等、何れであってもよい。また、記憶媒体にデータを書き込むユニットは、撮像装置と一体であってもよいし、コードを介して有線状態で接続された書き込みユニット、通信やインターネットを介して無線状態で接続された独立、或いは遠隔地に設置されたユニット等の何れの態様であってもよい。「記録メディアに記録する」時のファイル形式は、撮像装置固有の形式ではなく、ＴＩＦＦ（Tagged Image File Format）、ＪＰＥＧ（Joint Photographic Experts Group）、Ｅｘｉｆ、ＤＮＧ等の規格化された汎用のファイル形式で記録されるのが好ましい。
【００３８】
図１に示すように、現像処理装置部２０は、記録メディアドライブ部２１、画像情報通信制御部２２、ＲＡＷ画像ファイル取得部２３、現像処理部２４、縮小画像生成部２５、画像判定部２６、画像表示部２７、指示入力部２８、画像情報出力部２９、プリンタ部３０、拡張ＲＡＷ画像ファイル生成部３１、記録メディア書き込み部３２、拡張ＲＡＷ画像ファイル記録メディア３３を備える。
【００３９】
記録メディアドライブ部２１は、ＲＡＷ画像ファイル記録メディア１２からＲＡＷ画像ファイルｆ１を読み込む。
【００４０】
画像情報通信制御部２２は、ネットワークＮを介して接続された撮像装置部１０との間で、ＲＡＷ画像ファイルｆ１等の各種情報の通信を制御する。
【００４１】
ＲＡＷ画像ファイル取得部２３は、記録メディアドライブ部２１又は画像情報通信制御部２２を介してＲＡＷ画像ファイルｆ１を取得し、ＲＡＷ画像ファイルｆ１からシーン参照生データｄ１と再現補助データｄ２を取得する。なお、再プリント処理時には、ＲＡＷ画像ファイル取得部２３は、拡張ＲＡＷ画像ファイル記録メディア３３に記録された拡張ＲＡＷ画像ファイルを取得する。
【００４２】
現像処理部２４は、ＲＡＷ画像ファイル取得部２３により取得されたシーン参照生データｄ１に対して、ＲＡＷ画像ファイル取得部２３により取得された再現補助データｄ２、画像判定部２６により決定された現像処理条件、指示入力部２８から設定された追加調整情報等に基づいて出力媒体上での最適な鑑賞画像を形成するための現像処理を施して観賞画像参照データを生成する。
【００４３】
ここで、「出力媒体」とは、例えば、ＣＲＴ、液晶ディスプレイ、プラズマディスプレイ等の表示デバイスや、銀塩印画紙、インクジェットペーパー、サーマルプリンタ用紙等のハードコピー画像生成用の用紙である。
【００４４】
また、「鑑賞画像参照データ」とは、ＣＲＴ、液晶ディスプレイ、プラズマディスプレイ等の表示デバイスや、銀塩印画紙、インクジェットペーパー、サーマルプリンタ用紙等の出力デバイス等の出力媒体上での鑑賞画像形成に用いるデジタル画像データを意味する。  
【００４５】
また、「出力媒体上での最適な鑑賞画像を形成するための現像処理」とは、ＣＲＴ、液晶ディスプレイ、プラズマディスプレイ等の表示デバイス、及び銀塩印画紙、インクジェットペーパー、サーマルプリンタ用紙等の出力媒体上において、最適な画像を得るための処理である。例えば、ｓＲＧＢ規格に準拠したＣＲＴディスプレイモニタに表示することを前提とした場合、ｓＲＧＢ規格の色域内で最適な色再現が得られるように処理される。銀塩印画紙への出力を前提とした場合、銀塩印画紙の色域内で最適な色再現が得られるように処理される。また色域の圧縮以外にも、１６bitから８bitへの階調圧縮、出力画素数の低減、及び、階調変換ルックアップテーブル（ＬＵＴ）を用いた出力デバイスの出力特性への対応処理等も含まれる。さらにノイズ抑制、鮮鋭化、グレーバランス調整処理、彩度調整、或いは覆い焼き処理等の画像処理が行われることは言うまでもない。
【００４６】
現像処理部２４は、デモザイク処理部３４、グレーバランス調整処理部３５、鑑賞画像化処理部３６を含む。デモザイク処理部３４は、シーン参照生データｄ１のデモザイク処理を行う。シーン参照生データｄ１は、前述の通り、撮像素子で撮影された画像そのまま、すなわち、前述のモザイクフィルタを通して各々の画素に記録されたモザイク画像がそのまま保存されているため、これを、画素各々について、通常用いられる、例えばＲＧＢ３色のカラー情報を有する画像情報に再構築する必要があり、本発明ではこれをデモザイク処理とする。デモザイク処理には種々の方法があるが、これにより、処理対象画素に欠けている色成分を、周辺の当該色成分を有する画素情報や、デモザイク処理の手法に対応した、その他の情報により推測し、復元する処理が行われる。グレーバランス調整処理部３５は、デモザイク処理後の画像データに対して、適切なグレーを表現するためにグレーバランス調整処理を行う。鑑賞画像化処理部３６は、グレーバランス調整処理後の画像データに対して、鑑賞画像としてより好ましい画像にするための鑑賞画像化処理を行う。
【００４７】
縮小画像生成部２５は、デモザイク処理後の画像データに基づいて、縮小画像を生成する。画像判定部２６は、縮小画像生成部２５により生成された縮小画像と再現補助データｄ２とに基づいて、画像判定処理を行い、現像処理条件を決定する。
【００４８】
画像表示部２７は、ＣＲＴや液晶ディスプレイ等から構成され、鑑賞画像化処理部３６により鑑賞画像化処理を施された画像データに基づいて、画像を表示する。
【００４９】
指示入力部２８は、数字キーや各種機能キー等を備え、現像処理部２４における各処理に対する各種指示を受け付ける。
【００５０】
画像情報出力部２９は、現像処理部２４により現像処理が施された画像データ、すなわち、観賞画像参照データをプリンタ部３０に出力する。また、画像情報出力部２９は、現像処理を施す際に設定した現像条件調整データｄ３を拡張ＲＡＷ画像ファイル生成部３１に出力する。現像条件調整データｄ３は、画像判定部２６により決定された現像処理条件と、ユーザの調整により指示入力部２８から入力設定された追加調整情報と、を含む。画像判定部２６により決定された現像処理条件と、指示入力部２８から入力設定された追加調整情報とは、個々の情報として保持されていてもよいし、同一種の調整情報について、調整効果を加算、統合した状態で保持されていてもよい。
【００５１】
「現像条件調整データ」には、現像処理条件の決定に補助的に用いられる情報と、現像処理条件の決定に直接的に関わる情報と、がある。現像処理条件の決定に補助的に用いられる情報としては、画面平均信号値、画面内信号値の分散又は標準偏差、その他、後述する各種画像解析結果を表す特性値等が挙げられる。現像処理条件の決定に直接的に関わる情報としては、トーンカーブ、３次元ルックアップテーブル、階調補正パラメータ、鮮鋭性調整情報、ノイズフィルタ特性パラメータ等が挙げられる。トーンカーブは、ＲＧＢ各々について階調変換前後の値を定義した特性曲線であり、通常、１次元のルックアップテーブルとして保持される。３次元ルックアップテーブルは、ＲＧＢ信号値の組合せ各々について階調変換前後の値を定義したルックアップテーブルであり、３要素により色調が定義されている場合、３次元のルックアップテーブルとして保持される。階調補正パラメータは、濃度補正値、色補正値、コントラスト補正値等の階調変化を、トーンカーブやルックアップテーブルではなく、これらを生成する際に用いるパラメータとして保存する形態である。鮮鋭性調整情報は、鮮鋭性強調に用いるフィルタ係数そのもの、或いは、フィルタの強度を調整するパラメータをいう。ノイズフィルタ特性パラメータは、ノイズフィルタに用いる各種特性値（フィルタ係数、閾値等）や、複数の特性値の組合せを選択するパラメータをいう。
【００５２】
プリンタ部３０は、画像情報出力部２９から出力された観賞画像参照データに基づいて、プリントを作成する。
【００５３】
拡張ＲＡＷ画像ファイル生成部３１は、画像情報出力部２９から出力された現像条件調整データｄ３をＲＡＷ画像ファイルｆ１に添付し、拡張ＲＡＷ画像ファイルｆ２を生成する。図３に、拡張ＲＡＷ画像ファイルｆ２のデータ構造を示す。
【００５４】
記録メディア書き込み部３２は、拡張ＲＡＷ画像ファイル生成部３１により生成された拡張ＲＡＷ画像ファイルｆ２を拡張ＲＡＷ画像ファイル記録メディア３３に記録する。
【００５５】
＜撮像装置部１０の動作＞
図４は、撮像装置部１０により実行される撮影処理を示すフローチャートである。
まず、図４に示すように、絞りやシャッター速度等の撮像条件が設定される（ステップＡ１）。次に、撮像が行われると、撮像信号がＡ／Ｄ変換され、デジタル画像データが生成され（ステップＡ２）、前述のモザイク状の画像形態を有するモザイク画像信号（シーン参照生データ）が取得される（ステップＡ３）。
【００５６】
次に、シーン参照生データｄ１に再現補助データｄ２が添付され、ＲＡＷ画像ファイルｆ１が生成される（ステップＡ４）。そして、生成されたＲＡＷ画像ファイルｆ１がＲＡＷ画像ファイル記録メディア１２に記録される（ステップＡ５）。
以上で、撮像装置部１０における撮影処理が終了する。
【００５７】
＜現像処理装置部２０の動作＞
次に、現像処理装置部２０の動作について説明する。
図５は、現像処理装置部２０により実行される現像処理を示すフローチャートである。
図５に示すように、まず、ＲＡＷ画像ファイル取得部２３により、記録メディアドライブ部２１又は画像情報通信制御部２２を介してＲＡＷ画像ファイルｆ１が取得され（ステップＢ１）、ＲＡＷ画像ファイルｆ１から再現補助データｄ２が取得される（ステップＢ２）。
【００５８】
次に、仮の現像処理条件として一般的な条件が設定される（ステップＢ３）。そして、仮の現像処理条件に基づいて、シーン参照生データｄ１に対してデモザイク処理が行われる（ステップＢ４）。
【００５９】
次に、縮小画像生成部２５により、デモザイク処理後の画像データに基づいて、縮小画像が生成される（ステップＢ５）。そして、画像判定部２６により、縮小画像生成部２５により生成された縮小画像と再現補助データｄ２とに基づいて、画像判定処理が行われ、グレーバランス調整処理条件、鑑賞画像化処理条件等の現像処理条件が決定される（ステップＢ６）。
【００６０】
次に、グレーバランス調整処理部３５により、ステップＢ６において決定されたグレーバランス調整処理条件と、ステップＢ３において設定された仮の現像処理条件と、に基づいて、デモザイク処理後の画像データに対してグレーバランス調整処理が行われる（ステップＢ７）。続いて、鑑賞画像化処理部３６により、ステップＢ６において決定された鑑賞画像化処理条件と、ステップＢ３において設定された仮の現像処理条件と、に基づいて、グレーバランス調整処理後の画像データに対して鑑賞画像化処理が行われる（ステップＢ８）。
【００６１】
次に、画像表示部２７に、現像処理後の画像が表示される（ステップＢ９）。ここで、指示入力部２８を介して、追加調整の指示がある場合には（ステップＢ１０；ＹＥＳ）、追加調整情報が設定される（ステップＢ１１）。そして、追加調整情報がグレーバランス調整処理（ステップＢ７）、鑑賞画像化処理（ステップＢ８）に反映され、画像表示部２７に、追加調整情報が反映された後の画像が表示される（ステップＢ９）。
【００６２】
追加調整が終了した場合には（ステップＢ１０；ＮＯ）、ステップＢ６において画像判定部２６により決定された現像処理条件と、ステップＢ１１において設定された追加調整情報と、が反映された現像処理条件が設定される（ステップＢ１２）。そして、この現像処理条件に基づいて、シーン参照生データｄ１に対してデモザイク処理（ステップＢ１３）、グレーバランス調整処理（ステップＢ１４）、鑑賞画像化処理（ステップＢ１５）が行われ、観賞画像参照データが生成される。
【００６３】
次に、画像情報出力部２９により、観賞画像参照データがプリンタ部３０に出力され、プリンタ部３０により、観賞画像参照データに基づいてプリントが作成される（ステップＢ１６）。
【００６４】
また、画像情報出力部２９により、現像処理を施す際に設定した現像条件調整データｄ３が拡張ＲＡＷ画像ファイル生成部３１に出力され、拡張ＲＡＷ画像ファイル生成部３１により、現像条件調整データｄ３がＲＡＷ画像ファイルｆ１に添付され、拡張ＲＡＷ画像ファイルｆ２が生成される（ステップＢ１７）。現像条件調整データｄ３には、ステップＢ６において画像判定部２６により決定された現像処理条件と、ステップＢ１１において設定された追加調整情報と、が含まれる。そして、記録メディア書き込み部３２により、拡張ＲＡＷ画像ファイルｆ２が拡張ＲＡＷ画像ファイル記録メディア３３に記録される（ステップＢ１８）。
以上で、現像処理装置部２０における現像処理が終了する。
【００６５】
次に、拡張ＲＡＷ画像ファイルｆ２に基づいて、再プリントを行う場合について説明する。
図６は、現像処理装置部２０により実行される再プリント時の現像処理を示すフローチャートである。
図６に示すように、まず、ＲＡＷ画像ファイル取得部２３により、拡張ＲＡＷ画像ファイル記録メディア３３から拡張ＲＡＷ画像ファイルｆ２が取得され（ステップＣ１）、拡張ＲＡＷ画像ファイルｆ２から再現補助データｄ２及び現像条件調整データｄ３が取得される（ステップＣ２）。
【００６６】
次に、再現補助データｄ２及び現像条件調整データｄ３に基づいて、前回の現像処理条件が設定される（ステップＣ３）。そして、前回の現像処理条件に基づいて、シーン参照生データｄ１に対してデモザイク処理（ステップＣ４）、グレーバランス調整処理（ステップＣ５）、鑑賞画像化処理（ステップＣ６）が行われる。
【００６７】
次に、画像表示部２７に、現像処理後の画像が表示される（ステップＣ７）。ここで、指示入力部２８を介して、追加調整の指示がある場合には（ステップＣ８；ＹＥＳ）、追加調整情報が再設定される（ステップＣ９）。そして、追加調整情報がグレーバランス調整処理（ステップＣ５）、鑑賞画像化処理（ステップＣ６）に反映され、画像表示部２７に、追加調整情報が反映された後の画像が表示される（ステップＣ７）。
【００６８】
追加調整が終了した場合には（ステップＣ８；ＮＯ）、ステップＣ３において設定された前回の現像処理条件と、ステップＣ９において再設定された追加調整情報と、が反映された現像処理条件が設定される（ステップＣ１０）。そして、この現像処理条件に基づいて、シーン参照生データｄ１に対してデモザイク処理（ステップＣ１１）、グレーバランス調整処理（ステップＣ１２）、鑑賞画像化処理（ステップＣ１３）が行われ、観賞画像参照データが生成される。
【００６９】
次に、画像情報出力部２９により、観賞画像参照データがプリンタ部３０に出力され、プリンタ部３０により、観賞画像参照データに基づいてプリントが作成される（ステップＣ１４）。
【００７０】
また、画像情報出力部２９により、現像処理を施す際に設定した現像条件調整データｄ３が拡張ＲＡＷ画像ファイル生成部３１に出力され、拡張ＲＡＷ画像ファイル生成部３１により、現像条件調整データｄ３がＲＡＷ画像ファイルｆ１に添付され、拡張ＲＡＷ画像ファイルｆ２が生成される（ステップＣ１５）。すなわち、ステップＣ１において取得された拡張ＲＡＷ画像ファイルｆ２の現像条件調整データｄ３が上書きされ、新たな拡張ＲＡＷ画像ファイルｆ２が生成される。そして、記録メディア書き込み部３２により、新たな拡張ＲＡＷ画像ファイルｆ２が拡張ＲＡＷ画像ファイル記録メディア３３に記録される（ステップＣ１６）。
以上で、現像処理装置部２０における再プリント時の現像処理が終了する。
【００７１】
次に、オーダー情報に基づく現像処理について説明する。
図７及び図８は、現像処理装置部２０により実行されるオーダー情報に基づく現像処理を示すフローチャートである。
図７に示すように、まず、ＲＡＷ画像ファイル取得部２３により、記録メディアドライブ部２１又は画像情報通信制御部２２を介してＲＡＷ画像ファイルｆ１が取得され（ステップＳ１）、ＲＡＷ画像ファイルｆ１から再現補助データｄ２が取得される（ステップＳ２）。
【００７２】
次に、仮の現像処理条件として一般的な条件が設定される（ステップＳ３）。そして、仮の現像処理条件に基づいて、シーン参照生データｄ１に対してデモザイク処理が行われる（ステップＳ４）。
【００７３】
次に、縮小画像生成部２５により、デモザイク処理後の画像データに基づいて、縮小画像が生成される（ステップＳ５）。そして、画像判定部２６により、縮小画像生成部２５により生成された縮小画像と再現補助データｄ２とに基づいて、画像判定処理が行われ（ステップＳ６）、画像判定結果が保存される（ステップＳ７）。
【００７４】
デモザイク処理が行われた後（ステップＳ４）、同一オーダー内の画像の画像判定処理が終了したか否かが判断され（ステップＳ８）、終了していない場合には（ステップＳ８；ＮＯ）、オーダー内の次の画像が取得され（ステップＳ９）、ステップＳ１に戻る。
【００７５】
同一オーダー内の画像の画像判定処理が終了した場合には（ステップＳ８；ＹＥＳ）、１オーダー分の判定結果が取得され（ステップＳ１０）、１オーダー内の各駒の判定結果に基づいて、判定結果が修正される（ステップＳ１１）。そして、同一のオーダー情報が添付された各駒の画像の仕上がりを均質にするための画質均質化処理を含む現像処理の現像処理条件が決定される（ステップＳ１２）。
【００７６】
次に、図８に示すように、グレーバランス調整処理部３５により、ステップＳ１２において決定された現像処理条件に基づいて、デモザイク処理後の画像データに対してグレーバランス調整処理が行われる（ステップＳ１３）。続いて、鑑賞画像化処理部３６により、ステップＳ１２において決定された現像処理条件に基づいて、グレーバランス調整処理後の画像データに対して鑑賞画像化処理が行われる（ステップＳ１４）。
【００７７】
次に、画像表示部２７に、現像処理後の画像が表示される（ステップＳ１５）。ここで、指示入力部２８を介して、追加調整の指示がある場合には（ステップＳ１６；ＹＥＳ）、追加調整情報が設定される（ステップＳ１７）。そして、追加調整情報がグレーバランス調整処理（ステップＳ１３）、鑑賞画像化処理（ステップＳ１４）に反映され、画像表示部２７に、追加調整情報が反映された後の画像が表示される（ステップＳ１５）。
【００７８】
追加調整が終了した場合には（ステップＳ１６；ＮＯ）、ステップＳ１２において決定された現像処理条件と、ステップＳ１７において設定された追加調整情報と、が反映された現像処理条件が設定される（ステップＳ１８）。そして、この現像処理条件に基づいて、シーン参照生データｄ１に対してデモザイク処理（ステップＳ１９）、グレーバランス調整処理（ステップＳ２０）、鑑賞画像化処理（ステップＳ２１）が行われ、観賞画像参照データが生成される。
【００７９】
次に、画像情報出力部２９により、観賞画像参照データがプリンタ部３０に出力され、プリンタ部３０により、観賞画像参照データに基づいてプリントが作成される（ステップＳ２２）。
【００８０】
また、画像情報出力部２９により、現像処理を施す際に設定した現像条件調整データｄ３が拡張ＲＡＷ画像ファイル生成部３１に出力され、拡張ＲＡＷ画像ファイル生成部３１により、現像条件調整データｄ３がＲＡＷ画像ファイルｆ１に添付され、拡張ＲＡＷ画像ファイルｆ２が生成される（ステップＳ２３）。そして、記録メディア書き込み部３２により、拡張ＲＡＷ画像ファイルｆ２が拡張ＲＡＷ画像ファイル記録メディア３３に記録される（ステップＳ２４）。
【００８１】
次に、同一オーダー内の画像の追加調整及び記録が終了したか否かが判断され（ステップＳ２５）、終了していない場合には（ステップＳ２５；ＮＯ）、ステップＳ１３に戻り、次の画像に対する追加調整及び記録が行われる。同一オーダー内の画像の追加調整及び記録が終了した場合には（ステップＳ２５；ＹＥＳ）、オーダー情報に基づく現像処理が終了する。
【００８２】
以上のように、オーダー情報に基づいて、同一のオーダー情報が添付されたシーン参照生データｄ１の画像の仕上がりを均質にするための画質均質化処理を行うので、一連の撮影画像の統一性を保った、シーン参照生データｄ１に基づいた高い品質の自動画像補正結果を得ることができ、さらに追加調整の頻度が少ない効率の良い画像処理システムを構築することができる。
【００８３】
次に、グレーバランス情報に基づく現像処理について説明する。
図９及び図１０は、グレーバランス情報に基づく現像処理を示すフローチャートである。
図９に示すように、まず、ＲＡＷ画像ファイル取得部２３により、記録メディアドライブ部２１又は画像情報通信制御部２２を介してＲＡＷ画像ファイルｆ１が取得される（ステップＴ１）。そして、ＲＡＷ画像ファイルｆ１から再現補助データｄ２が取得され（ステップＴ２）、再現補助データｄ２のうち撮影時グレーバランス情報が取得される（ステップＴ３）。
【００８４】
撮影時グレーバランス情報には、撮影時の状況や、撮影者の好みを示す情報が含まれる。撮影時の状況を示す情報として、撮影時刻、天候（或いは撮影時色温度）、撮影光源、撮影環境の明るさ等、撮影者の好みを示す情報として、撮影目的の設定情報（ポートレート、スナップ、ネイチャー等）、特殊効果フィルタ（カラーフィルタ、ソフトフィルタ、紅葉や新緑、青空の色調を強調する色彩強調フィルタ等）の着用状況等が挙げられる。撮影時の状況や、撮影者の好みを示す情報は、撮影時に情報として記憶されるものであり、ＥｘｉｆやＤＮＧといった画像ファイルフォーマットに定義されている情報群の一部又は全部を用いてもよく、さらに付加された有効な情報であってもよい。
【００８５】
次に、仮の現像処理条件として一般的な条件が設定される（ステップＴ４）。そして、仮の現像処理条件に基づいて、シーン参照生データｄ１に対してデモザイク処理が行われる（ステップＴ５）。
【００８６】
次に、縮小画像生成部２５により、デモザイク処理後の画像データに基づいて、縮小画像が生成される（ステップＴ６）。そして、画像判定部２６により、縮小画像生成部２５により生成された縮小画像に基づいて画像解析が行われ（ステップＴ７）、画像解析時グレーバランス情報が算出される（ステップＴ８）。
【００８７】
画像解析結果を表す特性値として、肌色領域や無彩色領域を抽出して得られた領域特性値、画面構成、配色等の全体特性値等が挙げられる。例えば、色調が近似している領域を一つの部分領域として抽出し、複数の部分領域に分割し、各々の領域について領域内平均値を算出することにより、肌色領域が画面内に占める比率や、画面内に有彩色が占める比率等を算出することができる。また、部分領域相互の色調差の大きさを評価（例えば領域内平均値のばらつきを評価）して、画面構成（落ち着きがある画面、華やかな画面等）に関する特徴量を得ることができる。また画面から、ハイライト、シャドー部に相当する画像情報を抽出し、これに基づいて無彩色画像信号がもつＲＧＢ信号値各々の関係を導き出し、これをもとに画面内の無彩色画像領域を抽出して、色再現の基準となる特性値を得ることができる。
【００８８】
次に、ステップＴ３において取得された撮影時グレーバランス情報と、ステップＴ８において算出された画像解析時グレーバランス情報とに基づいて、両情報が参照され、グレーバランス調整処理条件が決定される（ステップＴ９）。
【００８９】
両情報の参照の１例を、画像解析時グレーバランス情報に含まれる色再現の基準となる特性値と、撮影時グレーバランス情報に含まれる撮影時情報との比較の場合で説明する。画像解析時グレーバランス情報のみに基づいてグレーバランス調整を行った場合、例えば夕方や早朝、日陰等、どのような環境で撮影された画像も近似した色調再現を得る調整結果となる。これは、例えばポートレート画像では好ましい結果となる場合が多いが、例えばネイチャーフォトの場合、夕方の赤みがかった光や、晴れた午前の青みがかった光をそのまま表現する方がより好ましい場合が多い。またポートレートでも、電球光下で撮影された画像の場合、電球光の赤みを帯びた色調を残した方が好ましい結果を得る場合が多い。そこで、撮影目的に関する情報をもとに、画像解析時グレーバランス情報に基づいたグレーバランス調整をどの程度作用させるかを決定すると、より好ましい自動画像処理結果を得ることができる。
【００９０】
また、画像解析時グレーバランス情報を求める際に、前記撮影光源や撮影環境情報を用いることで、最初に抽出すべきハイライト、シャドーポイントの抽出条件を好ましく設定することができ、ポートレート画像の良好な画像調整に有効である。さらに、このようにしてハイライト、シャドーポイントを抽出して標準的なグレーバランスとなるグレーバランス調整処理条件を一旦求め、ここからの追加補正量を前記撮影環境に基づいて決定してもよく、このようにすると、例えばネイチャーフォトの夕景に対し、最も好ましいカラーバランス（この場合、赤さ）を安定して付加することができ、好ましい。
【００９１】
さらに、画像解析時グレーバランス情報に含まれる画面内色調差に関する情報や画面構成に関する情報によって、画面に多数の高彩度物体が写っている状況が判明した場合に、撮影時グレーバランス情報をより重視したグレーバランス調整を行うことができ、画像解析時グレーバランス情報に対する撮影画像内の高彩度物の影響を軽減したグレーバランス調整処理が可能となる。
【００９２】
次に、グレーバランス調整処理部３５により、ステップＴ９において決定されたグレーバランス調整処理条件に基づいて、デモザイク処理後の画像データに対してグレーバランス調整処理が行われる（ステップＴ１０）。続いて、鑑賞画像化処理部３６により、グレーバランス調整処理後の画像データに対して鑑賞画像化処理が行われる（ステップＴ１１）。
【００９３】
次に、画像表示部２７に、現像処理後の画像が表示される（ステップＴ１２）。ここで、指示入力部２８を介して、追加調整の指示がある場合には（ステップＴ１３；ＹＥＳ）、追加調整情報が設定される（ステップＴ１４）。そして、追加調整情報がグレーバランス調整処理（ステップＴ１０）、鑑賞画像化処理（ステップＴ１１）に反映され、画像表示部２７に、追加調整情報が反映された後の画像が表示される（ステップＴ１２）。
【００９４】
追加調整が終了した場合には（ステップＴ１３；ＮＯ）、図１０に示すように、ステップＴ９において決定されたグレーバランス調整処理条件と、ステップＴ１４において設定された追加調整情報と、が反映された現像処理条件が設定される（ステップＴ１５）。そして、この現像処理条件に基づいて、シーン参照生データｄ１に対してデモザイク処理（ステップＴ１６）、グレーバランス調整処理（ステップＴ１７）、鑑賞画像化処理（ステップＴ１８）が行われ、観賞画像参照データが生成される。
【００９５】
次に、画像情報出力部２９により、観賞画像参照データがプリンタ部３０に出力され、プリンタ部３０により、観賞画像参照データに基づいてプリントが作成される（ステップＴ１９）。
【００９６】
また、画像情報出力部２９により、現像処理を施す際に設定した現像条件調整データｄ３が拡張ＲＡＷ画像ファイル生成部３１に出力され、拡張ＲＡＷ画像ファイル生成部３１により、現像条件調整データｄ３がＲＡＷ画像ファイルｆ１に添付され、拡張ＲＡＷ画像ファイルｆ２が生成される（ステップＴ２０）。そして、記録メディア書き込み部３２により、拡張ＲＡＷ画像ファイルｆ２が拡張ＲＡＷ画像ファイル記録メディア３３に記録される（ステップＴ２１）。
以上で、グレーバランス情報に基づく現像処理が終了する。
【００９７】
以上のように、撮影時グレーバランス情報と、シーン参照生データｄ１を画像解析して得られた画像解析時グレーバランス情報と、に基づいてグレーバランス調整処理を行うので、撮影時の状況や撮影された画像に応じた処理を行うことができる。
【００９８】
次に、鮮鋭性調整情報に基づく現像処理について説明する。
図１１及び図１２は、鮮鋭性調整情報に基づく現像処理を示すフローチャートである。
図１１に示すように、まず、ＲＡＷ画像ファイル取得部２３により、記録メディアドライブ部２１又は画像情報通信制御部２２を介してＲＡＷ画像ファイルｆ１が取得される（ステップＵ１）。そして、ＲＡＷ画像ファイルｆ１から再現補助データｄ２が取得され（ステップＵ２）、再現補助データｄ２のうち撮影時鮮鋭性調整情報が取得される（ステップＵ３）。
【００９９】
次に、仮の現像処理条件として一般的な条件が設定される（ステップＵ４）。そして、仮の現像処理条件に基づいて、シーン参照生データｄ１に対してデモザイク処理が行われる（ステップＵ５）。
【０１００】
次に、縮小画像生成部２５により、デモザイク処理後の画像データに基づいて、縮小画像が生成される（ステップＵ６）。そして、画像判定部２６により、縮小画像生成部２５により生成された縮小画像に基づいて画像解析が行われ（ステップＵ７）、画像解析時鮮鋭性調整情報が算出される（ステップＵ８）。
【０１０１】
次に、ステップＵ３において取得された撮影時鮮鋭性調整情報と、ステップＵ８において算出された画像解析時鮮鋭性調整情報とに基づいて、両情報が比較され、鮮鋭性調整処理条件が決定される（ステップＵ９）。例えばネイチャーフォトの場合は非常に高い鮮鋭感を要求されるが、非常に鮮鋭性の高い撮影光学系を用いて撮影した場合と、撮像素子の前にモアレや偽色軽減のために光学的ローパスフィルタを配置した撮影光学系を用いて撮影した場合とでは、得られる元画像の鮮鋭性に大きな差がある。ネイチャーフォトとして必要な鮮鋭感を得るための鮮鋭性調整処理（ここでは強調処理）は、前者では弱いもので充分であり、後者では強いものが必要となる。またさらに、撮影時にピンぼけや手ぶれ等、鮮鋭性を劣化させる要因が発生した場合、撮影被写体が輪郭、メリハリに乏しく、鮮鋭感を感じにくい場合は、より強い鮮鋭性調整効果が必要となる。
【０１０２】
弱い鮮鋭性に決定した場合には（ステップＵ１０）、平滑性の強いデモザイク処理が採用され（ステップＵ１１）、軽度の鮮鋭性強調が行われるよう現像処理条件が設定される（ステップＵ１２）。中程度の鮮鋭性に決定した場合には（ステップＵ１３）、平滑性の強いデモザイク処理が採用され（ステップＵ１４）、中程度の鮮鋭性強調が行われるよう現像処理条件が設定される（ステップＵ１５）。強い鮮鋭性に決定し（ステップＵ１６）、偽色が許容されない場合には（ステップＵ１７）、平滑性の強いデモザイク処理が採用され（ステップＵ１８）、強度の鮮鋭性強調が行われるよう現像処理条件が設定される（ステップＵ１９）。強い鮮鋭性に決定し（ステップＵ１６）、偽色が許容される場合には（ステップＵ２０）、デモザイク処理として、前述の平滑性の強い処理と比較し、偽色発生の懸念がより大きいが、より鮮鋭性の強い特性をもつデモザイク処理が採用され（ステップＵ２１）、中程度の鮮鋭性強調が行われるよう現像処理条件が設定される（ステップＵ２２）。
【０１０３】
ステップＵ１６からステップＵ２２の効果を具体的に説明する。例えば商品撮影のような場合はステップＵ１７の条件にあたり、高い鮮鋭感が必要であり、さらに偽色のような本来の被写体に無い色調が画面に現れることを嫌う。この場合は、デモザイク処理時にできるだけ偽色発生の少ない、すなわち平滑性の強い処理を行い、鮮鋭感が低下した分、後段の鮮鋭性強調の程度を強くする。この場合、鮮鋭性強調に伴い、特に空間周波数が高い領域に発生する画像強調ノイズを許容範囲に抑えるため、画像解像力を犠牲にし比較的低い空間周波数領域の強調度合いを高くする画像処理を行う。しかし、例えばネイチャーフォトの場合、鮮鋭性とともに、高い解像力が要求され、上記商品撮影と同一の画像処理では不満足な結果になる場合が多い。ネイチャーフォトは自然物が対象のため、偽色発生の懸念がある細かい繰り返しパターンが被写体となる可能性は低い。したがって、本発明のフローを用いれば、ステップＵ２０の条件に該当し、デモザイク処理時にできるだけ解像力や鮮鋭性を劣化させない処理を行い、後段の鮮鋭性強調処理の程度を抑えることで解像力が高く繊細、かつ鮮鋭感の高い画像処理を行うことができる。
【０１０４】
一方、グレーバランス調整処理部３５により、仮の現像処理条件に基づいて、デモザイク処理後の画像データに対してグレーバランス調整処理が行われる（ステップＵ２３）。続いて、鑑賞画像化処理部３６により、グレーバランス調整処理後の画像データに対して鑑賞画像化処理が行われる（ステップＵ２４）。
【０１０５】
次に、画像表示部２７に、現像処理後の画像が表示される（ステップＵ２５）。ここで、指示入力部２８を介して、追加調整の指示がある場合には（ステップＵ２６；ＹＥＳ）、追加調整情報が設定される（ステップＵ２７）。そして、追加調整情報がグレーバランス調整処理（ステップＵ２３）、鑑賞画像化処理（ステップＵ２４）に反映され、画像表示部２７に、追加調整情報が反映された後の画像が表示される（ステップＵ２５）。
【０１０６】
追加調整が終了した場合には（ステップＵ２６；ＮＯ）、ステップＵ１２，ステップＵ１５，ステップＵ１９，ステップＵ２２において設定された鮮鋭性調整処理条件と、ステップＵ１１，ステップＵ１４，ステップＵ１８，ステップＵ２１において設定されたデモザイク処理条件と、追加調整情報と、が反映された現像処理条件が設定される（ステップＵ２８）。そして、図１２に示すように、この現像処理条件に基づいて、シーン参照生データｄ１に対してデモザイク処理（ステップＵ２９）、グレーバランス調整処理（ステップＵ３０）、鑑賞画像化処理（ステップＵ３１）が行われ、観賞画像参照データが生成される。
【０１０７】
次に、画像情報出力部２９により、観賞画像参照データがプリンタ部３０に出力され、プリンタ部３０により、観賞画像参照データに基づいてプリントが作成される（ステップＵ３２）。
【０１０８】
また、画像情報出力部２９により、現像処理を施す際に設定した現像条件調整データｄ３が拡張ＲＡＷ画像ファイル生成部３１に出力され、拡張ＲＡＷ画像ファイル生成部３１により、現像条件調整データｄ３がＲＡＷ画像ファイルｆ１に添付され、拡張ＲＡＷ画像ファイルｆ２が生成される（ステップＵ３３）。そして、記録メディア書き込み部３２により、拡張ＲＡＷ画像ファイルｆ２が拡張ＲＡＷ画像ファイル記録メディア３３に記録される（ステップＵ３４）。
以上で、鮮鋭性調整情報に基づく現像処理が終了する。
【０１０９】
以上のように、撮影時鮮鋭性調整情報と、シーン参照生データｄ１を画像解析して得られた画像解析時鮮鋭性調整情報と、に基づいて鮮鋭性調整処理を行うので、撮影時の状況や撮影された画像に応じた処理を行うことができる。
【０１１０】
第１の実施の形態における画像処理システム１００によれば、現像処理を施す際に設定した現像条件調整データｄ３をＲＡＷ画像ファイルｆ１に添付して記録メディアに記録するので、再プリント時に前回の現像処理条件を簡単に再現することができる。また、さらに追加調整が必要な場合にも、シーン参照生データｄ１に基づいて、自由度の大きい画質調整を行うことができる。したがって、画質調整の自由度を損なうことなく、安定した画像を得ることができる。
【０１１１】
［第２の実施の形態］
＜画像処理システム２００の構成＞
次に、本発明の第２の実施の形態における画像処理システム２００について説明する。
図１３は、画像処理システム２００のシステム構成図である。図１３に示すように、画像処理システム２００は、撮像装置部１０、現像処理装置部２０ａ、現像処理装置部２０ｂから構成され、現像処理装置部２０ａと現像処理装置部２０ｂとはネットワークＮを介して接続可能である。
【０１１２】
現像処理装置部２０ａは、フォトスタジオ等に設置され、仮の画質調整を行う。一方、現像処理装置部２０ｂは、フォトスタジオから依頼された画像のプリントを行う現像所等に設置され、正式な画質調整を行った後、プリントを作成するとともに、現像処理装置部２０ｂにおける現像条件調整データｄ３を記録する。
【０１１３】
画像処理システム２００における撮像装置部１０は、第１の実施の形態に示した撮像装置部１０と同様の構成であるため、同一の符号を付し、説明を省略する。また、現像処理装置部２０ａ、現像処理装置部２０ｂにおいて、第１の実施の形態に示した現像処理装置部２０と同一の構成部分については同一の符号にそれぞれａ、ｂを追加した符号を付し、その構成については説明を省略する。以下、第２の実施の形態に特徴的な処理について説明する。
【０１１４】
撮像装置部１０、現像処理装置部２０ａにおける処理は、第１の実施の形態し示した処理と同様であるため、説明を省略する。
【０１１５】
現像処理装置部２０ｂでは、拡張ＲＡＷ画像ファイル取得部２３ｂにより、現像処理装置部２０ａの拡張ＲＡＷ画像ファイル生成部３１ａにより生成された拡張ＲＡＷ画像ファイルｆ２が、ネットワークＮ及び画像情報通信制御部２２ｂを介して取得される。そして、拡張ＲＡＷ画像ファイルｆ２から再現補助データｄ２及び現像条件調整データｄ３が取得される。
【０１１６】
次に、再現補助データｄ２及び現像条件調整データｄ３に基づいて、現像処理装置部２０ａで設定された仮の現像処理条件が設定される。そして、この現像処理条件に基づいて、現像処理部２４ｂにより、シーン参照生データｄ１に対してデモザイク処理、グレーバランス調整処理、鑑賞画像化処理が行われ、仮の観賞画像参照データが再現される。
【０１１７】
次に、再現された仮の観賞画像参照データに基づいて、画像表示部２７ｂに、現像処理後の画像が表示され、追加調整の指示がある場合には、指示入力部２８ｂを介して追加調整情報が再設定される。
【０１１８】
現像処理装置部２０ａで設定された仮の現像処理条件と、再設定された追加調整情報と、が反映された現像処理条件が設定され、正式な現像条件調整データｄ３が生成される。この正式な現像条件調整データｄ３に基づいて、現像処理部２４ｂにより、シーン参照生データｄ１に対してデモザイク処理、グレーバランス調整処理、鑑賞画像化処理が行われ、正式な観賞画像参照データが生成される。
【０１１９】
次に、画像情報出力部２９ｂにより、正式な観賞画像参照データがプリンタ部３０ｂに出力され、プリンタ部３０ｂにより、正式な観賞画像参照データに基づいてプリントが作成される。
【０１２０】
また、画像情報出力部２９ｂにより、現像処理を施す際に設定した現像条件調整データｄ３が拡張ＲＡＷ画像ファイル生成部３１ｂに出力され、拡張ＲＡＷ画像ファイル生成部３１ｂにより、正式な現像条件調整データｄ３がＲＡＷ画像ファイルｆ１に添付され、新たな拡張ＲＡＷ画像ファイルｆ２が生成される。そして、記録メディア書き込み部３２ｂにより、新たな拡張ＲＡＷ画像ファイルｆ２が拡張ＲＡＷ画像ファイル記録メディア３３ｂに記録される。
【０１２１】
第２の実施の形態における画像処理システム２００によれば、現像処理装置部２０ｂにおいて、再現補助データ及び現像処理装置部２０ａにより設定された仮の現像条件調整データｄ３に基づいて現像処理を施して仮の観賞画像参照データを再現するので、正式なプリント時に、現像処理装置部２０ａで設定された仮の現像処理条件を簡単に再現することができる。例えば、フォトスタジオ等で施された画質調整の意図を、現像所のオペレータが画像調整結果を再現することで簡単に知ることができる。また、再現された仮の観賞画像参照データに基づいて正式な鑑賞画像参照データを生成するので、例えば現像所のオペレータは、フォトスタジオ等で施された画質調整の意図を読み取り、その意図をより高画質に表現することができる画像処理をシーン参照生データに施して鑑賞画像参照データを生成することができる。
【図面の簡単な説明】
【０１２２】
【図１】本発明の第１の実施の形態における画像処理システム１００のシステム構成図である。
【図２】ＲＡＷ画像ファイルのデータ構造を示す図である。
【図３】拡張ＲＡＷ画像ファイルのデータ構造を示す図である。
【図４】撮像装置部１０により実行される撮影処理を示すフローチャートである。
【図５】現像処理装置部２０により実行される現像処理を示すフローチャートである。
【図６】現像処理装置部２０により実行される再プリント時の現像処理を示すフローチャートである。
【図７】オーダー情報に基づく現像処理を示すフローチャートである。
【図８】オーダー情報に基づく現像処理を示すフローチャートである。
【図９】グレーバランス情報に基づく現像処理を示すフローチャートである。
【図１０】グレーバランス情報に基づく現像処理を示すフローチャートである。
【図１１】鮮鋭性調整情報に基づく現像処理を示すフローチャートである。
【図１２】鮮鋭性調整情報に基づく現像処理を示すフローチャートである。
【図１３】本発明の第２の実施の形態における画像処理システム２００のシステム構成図である。
【符号の説明】
【０１２３】
１００  画像処理システム
１０  撮像装置部
１１  デジタルカメラ
１２  ＲＡＷ画像ファイル記録メディア
２０  現像処理装置部
２１  記録メディアドライブ部
２２  画像情報通信制御部
２３  ＲＡＷ画像ファイル取得部
２４  現像処理部
２５  縮小画像生成部
２６  画像判定部
２７  画像表示部
２８  指示入力部
２９  画像情報出力部
３０  プリンタ部
３１  拡張ＲＡＷ画像ファイル生成部
３２  記録メディア書き込み部
３３  拡張ＲＡＷ画像ファイル記録メディア
３４  デモザイク処理部
３５  グレーバランス調整処理部
３６  鑑賞画像化処理部
２００  画像処理システム
Ｎ  ネットワーク
【図１】
2006203572.tif 000003
【図２】
2006203572.tif 000004
【図３】
2006203572.tif 000005
【図４】
2006203572.tif 000006
【図５】
2006203572.tif 000007
【図６】
2006203572.tif 000008
【図７】
2006203572.tif 000009
【図８】
2006203572.tif 000010
【図９】
2006203572.tif 000011
【図１０】
2006203572.tif 000012
【図１１】
2006203572.tif 000013
【図１２】
2006203572.tif 000014
【図１３】
2006203572.tif 000015